(57)【要約】【課題】簡易な構成で有効に機能する防災手段を安価にして提供できるようにすることを目的とする。【解決手段】  ベッドや敷布団などで就寝する者を防護したり飛び込んで避難する者を防護することができる避難空間を内部に有して床上に設置される本体と、天井面に設置される発泡スチロール製の緩衝手段とでなり、前記緩衝手段は、天井面における前記本体の上方に離間して待機すべく設置される一方地震に伴う揺れに応動して天井面より離脱して本体上に載り掛かり得るように構成されている。【選択図】図１８
2007268282.tif 000002
【特許請求の範囲】
【請求項１】
ベッドや敷布団などで就寝する者を防護したり飛び込んで避難する者を防護することができる避難空間を内部に有して床上に設置される本体と、天井面に設置される発泡スチロール製の緩衝手段とでなり、前記緩衝手段は、天井面における前記本体の上方に離間して待機すべく設置される一方地震に伴う揺れに応動して天井面より離脱して本体上に載り掛かり得るように構成されている防災装置。
【請求項２】
請求項１に記載の防災装置において、緩衝手段は、本体に嵌り得る底部形状とされている防災装置。
【請求項３】
請求項１または２に記載の防災装置において、緩衝手段は、天井面に対しストッパにより待機状態とされる一方地震時揺れ動作をする重りにより同ストッパが外れて天井面より離脱するようになっている防災装置。
【発明の詳細な説明】
【発明の詳細な説明】
【技術分野】
【０００１】  この発明は、地震や洪水などの災害に対する防災装置に関する。
【背景技術】
【０００２】  例えば、就寝時における地震による家屋の倒壊等の非常事態には安全性を確保しておく必要がある。
【発明が解決しようとする課題】
【０００３】  ところで、こうした事態に対応し得る防災装置としては各種のものが提案されている。しかし、いずれも鋼材等を組み合わせて対応する構造であるため、大掛かりで高価につくもので普及には不向きな面がある。
【０００４】  この発明は前記課題を解決するためになされたもので、簡易な構成で有効に機能する防災手段を安価にして提供できるようにすることを目的とする。
【課題を解決するための手段】
【０００５】  前記課題を解決するため、請求項１記載の発明は、ベッドや敷布団などで就寝する者を防護したり飛び込んで避難する者を防護することができる避難空間を内部に有して床上に設置される本体と、天井面に設置される発泡スチロール製の緩衝手段とでなり、前記緩衝手段は、天井面における前記本体の上方に離間して待機すべく設置される一方地震に伴う揺れに応動して天井面より離脱して本体上に載り掛かり得るように構成されている。
請求項２記載の発明は、請求項１に記載の防災装置において、緩衝手段は、本体に嵌り得る底部形状とされている。
請求項３記載の発明は、請求項１または２に記載の防災装置において、緩衝手段は、天井面に対しストッパにより待機状態とされる一方地震時揺れ動作をする重りにより同ストッパが外れて天井面より離脱するようになっている。
【発明を実施するための最良の形態】
【０００６】  以下、図示した実施形態を参照してこの発明を詳細に説明する。
図１は、本格的な地震等の災害を想定して対処可能な防災装置の実施形態を示す。同実施形態は、ダブルサイズベッド（シングルサイズにも適用することができる）Ｂに適用される防護装置についてのものである。勿論、敷布団を含む和風にも適用できる。１０１は底フレームで、平面がコの字形をした板状のもので木質あるいは金属、プラスチック等材質は問わない。【０００７】  同フレーム１０１は、四角な枠体であったり、運搬可能な分割式であってもよい。また、同フレーム１０１は、丸パイプや角パイプ、アングル材や他の形鋼でもよい。このことは以下の実施形態でも同様に言えることである。１０２は側部、１０３は前後の端部である。尚、両端部１０３，１０３の間隔は、２４００ｍｍに設定されている。この寸法は、例えば、側部１０２の長さ調節手段（図示省略）により大小に変更可能にもなる。【０００８】  １０５は主フレームで、同フレーム１０５は、２本の主支柱１０６，１０６とその上端間をアール部を介して一体に継ぐ主上ガード１０７とでなっている。主フレーム１０５は、衝撃を吸収しやすく軽量な薄肉状のパイプを使用することを一般とし、材質はステンレスでも鋼鉄やアルミ合金、銅系その他の金属でもよく、プラスチック、合成ゴムでもよい。このことは以下の各実施形態でも同様に言えることである。同主フレーム１０５は、必要な塗装を施すなどするが、図示破線のように細い芯パイプ１０８をフレーム体としその外周に緩衝材を外装して緩衝作用の高い装置にすることもある。上記のことは他の各実施形態でも同様に適用できる。【０００９】  尚、主フレーム１０５の高さは、ここで１６００ｍｍ前後に設定されるが、それより低く、例えば、１２００ｍｍ前後に、あるいはそれより高く１８００〜２０００ｍｍにすることもあり、さらにその以外の高さに設定することもある。この主フレーム１０５は、主支柱１０６，１０６と主上ガード１０７との三者を分割式で差し込み等で接続可能に構成することができる。【００１０】  また、一方の主支柱１０６と主上ガード１０７の半長分を１つのフレームとし、他方の主支柱１０６と主上ガード１０７の残る半長分を他の１つのフレームとし、これらを差し込み等により接続可能にしてもよい。ここに差し込みとは、一方のパイプに中軸を固着しておき他方のパイプに差し込んだり、一方のパイプと他方のパイプとを異なる径として互いを差し込むようにする。このことは以下の各実施形態でも同様に言えることである。【００１１】  主フレーム１０５は、底フレーム１０１の、丁度ベッドＢの幅中間上方に対応するように立設されている。具体的には、副フレーム１１０の中心から６８０ｍｍ離れたところに主フレーム１０５が立設されている。更にこの寸法は、より大きくする場合と小さくする場合とがある。尚、底フレーム１０１上には、主フレーム１０５より１回り径の大きい基部補強パイプを溶接やフランジ固定等により固着してこれに主フレーム１０５を差し込み、基部補強パイプと主フレーム１０５を固着したり止着具で脱着自在にしてもよい。このことは以下の各実施形態でも同様に言えることである。【００１２】  主フレーム１０５は、底フレーム１０１との間にＬ形等の手すり１０９を備えて補強を兼ねるものになっている。この手すり１０９は、ベッドＢの一側部よりもやや主フレーム５側に引っ込んだ状態になっており、開放感を一層与えるようにしてある。シングルベッドの場合や通常幅敷布団の場合には、同手すり１０９を主フレーム１０５寄りの小さいものにすることができる。手すり１０９は板状のものでもよい。【００１３】  副フレーム１１０は、副支柱１１１，１１１と副上ガード１１２の３辺からなり、主フレーム１０５よりは細くしかもかなり幅の狭いフレーム体でなる。この副フレーム１１０は、ベッドＢの一側で側部２上に２体立設され、主フレーム１０５と略同じ高さになっている。そして、主フレーム１０５と副フレーム１１０間は、１本あるいは複数本の連結フレーム１１３で継がれている。副フレーム１１０の基部も主フレーム５の基部について説明した上記同様の固着方法を採用することができる。通常は図１の仮想線のようにベッドＢ幅中央付近において就寝するが、地震等の非常時には矢印ＸやＹ方向に避難すれば安全性が確約される。【００１４】  尚、副フレーム１１０を主フレーム１０５より低くしたりあるいは高くすることができる。また、副フレーム１１０は、主フレーム１０５と同様の１本通し状に形成してもよい。さらに、副フレーム１１０と主フレーム１０５とは基部付近において基部板で継いだり筋交い（パイプあるいは板状等）でつないだりしてもよい。また、主フレーム１０５と副フレーム１１０間に相当する上部には、図示のようなワイヤあるいはロープによる防護索１１５を張設したり、パンチングメタルを固定してもよい。防護索１１５は、規定の枠内に予めワイヤ等を張ったものをセットするようにしてもよい。両副フレーム１１０間には他の継ぎパイプを連結してもよい。【００１５】  さらに、副フレーム１０と主フレーム５の就寝者の頭部側の上方には特別の防護手段を構成することができる。例えば、継ぎパイプや網、発泡スチロール体などを適宜に組み合わせてより完全な防護を構成する。スポンジ式あるいはゴム式の緩衝手段を構成する場合がある他、特に、後述するが、野菜や果物あるいは魚介類などを入れるために多量生産される未使用の発泡スチロール容器（蓋付き）をそのまま利用し、その中に空缶やペットボトルなどを適宜に選んで一部装填あるいは全部充填し、蓋をして粘着テープなどで密封して防護体の複数個をまとめてこれらの防護体の１個以上を防護手段１１６として装置上にセットしておくことで押し潰れ作用で衝撃を吸収するようにしてもよい。発泡スチロール容器に代えてスポンジやゴム、樹脂等による容器でもよく、容器なしにシートやフィルムなどによる包装手段でもよい。このことは以下の各実施形態でも同様に言えることである。緩衝部材として、自然の竹を使用することがある。この竹は、それをある本数巻き締めて１ロットとし、これを複ロット防災装置上に載置（載置する方向は通常は竹繊維が水平に向くようにするが垂直あるいは斜め向きにしたり、方向を無指向型にしてもよい）して緩衝手段とする場合と、主フレーム等のフレーム回りに竹を巻き付けて緩衝手段にする場合と、竹チップをある容器に入れて緩衝手段とする場合などがある。竹炭を緩衝手段にすることもできし、ケナフ等他の炭を使用することもできる。上記のことは他の各実施形態でも同様に適用できる。因みに、本商品は、「コレヤ」と称する。【００１６】  さらに、前記副フレーム１１０は主フレーム１０５よりも少し低くして、負荷を主フレーム１０５と同時に受け得るようにしてもよい。【００１７】  また、主フレーム１０５と副フレーム１１０との間の上側に直接あるいはワイヤ等の受材をセットして、その上に水タンク等の非常用品や布団・毛布・衣類等の日常用品を載置しておいて非常時に緩衝作用をさせるとともに各用途に使用できるようにしてもよい。上記のことは他の各実施形態でも同様に適用の可能性がある。尚、上記用品にはペットボトル、空缶、各種食品容器（軟質あるいは硬質）、ゴムタイヤ（ゴム片でもよい）、生地等の廃品、新品やおがくず・チップ（ケナフを含む）、砂等も含み、その中に液体を入れておくか否かはいずれでもよい。【００１８】  さらに、図１に仮想線で示すように、主フレーム１０５及び副フレーム１１０はその一方あるいは双方を斜めに配置してもよい。この場合、両フレーム１０５，１１０の上端間には緩衝手段を配してもよく、さらに各フレーム１０５，１１０外周にも緩衝手段を配してもよい。【００１９】  また、図１に示すように、剛強な本装置を利用して介護器具を装備してもよい。食台１１８や腕等のリハビリ器具１１９、脚等のリハビリ器具１２０を連結フレーム１１３等を利用して備える。また、リフター１２１や立ち上がり補助アーム１２２を付してもよい。さらに、図２のようなスイングアーム介助バー１２３や図３のような介助バー１２４、図４のような移動用バー（ピーチスキン）１２５を付してもよい。尚、図１以降の各実施形態において、負荷を受ける部材は、木質でもよく、アルミ合金、プラスチックその他の材質でもよい。このことは他の各実施形態でも同様に適用できる。【００２０】  図５はベッドＢ用あるいは和式用の防災装置の他の実施形態を示し、主に、通常時に開放感を与える一方地震等の災害時には防護機能を有効に発揮するようにしたものである。同実施形態において、１２７は主フレームで、同フレーム１２７は支柱と横架材とで門形に形成されている。１２６は座フレームで、取付座１２６ａを介して主フレーム１２７が組立・分解自在に固定されている。主フレーム１２７はベッドＢの幅間の略中央に配され、その両端にはコの字枠状に形成した防護ウイング１２８がボスを介して上下回転自在に装備されている。【００２１】  同防護ウイング１２８は、アーム１２９を介してショックアブソーバ１３０に連結しておくことで図のように上斜め向きに仰いだ姿勢に保たれている。１３１は前ストッパ、１３２は後ストッパで、防護ウイング１２８が負荷により水平あるいはそれ以上に下がってきた時のストッパである。補強パイプ１３３を仮想線のように上部に延ばし、これをストッパにすることも可能である。【００２２】  尚、防護ウイング１２８には、ワイヤやロープ等による網状材１３５を張ったり防護パイプを張架したりしてもよい。また、緩衝手段１３６を付してもよい。さらに、こうしたウイングを仮想線のように固定式として付したり、図示しないが実線の防護ウイング１２８と対照式に防護ウイングを装備してもよい（���６を参照）。主フレーム１２７は上端に折り曲げ部を備えた一体物であってもよい。【００２３】  図６は他の実施形態を示す。同実施形態は、座フレーム１３８には斜め向きに主フレーム１４０が立設されて補助フレーム１４１により強固に支持されている。主フレーム１４０は図５のようなコの字形をしたもので、一体折り曲げ物でもよい。主フレーム１４０の上ガードにはボスを介して前後の防護ウイング１４２，１４２が一体型として設けられている。防護ウイング１４２は図５のような形態とされているとともに、上ガード上に固定式に立設された固定部材１４３と各防護ウイング１４２との間に第１緩衝牽材１４４、第２緩衝牽材１４５がワイヤやロープとして緩く連結されている。１４６は緩衝部材であり、ゴムやスポンジ等である。【００２４】  負荷は殆どの場合一方の防護ウイング１４２に先に加わるので、図６の一方の防護ウイング１４２が下がると緩衝牽材１４４，１４５の一方が引っ張られて防護ウイング１４２は緩衝を受けて止まる。負荷によっては第１緩衝牽材１４４から第２緩衝牽材１４５に作用することがある。尚、最終的に緩衝部材付きのストッパで止められるようにしてもよい。座フレーム１３８には、ゴム等の緩衝手段を介することがあるし床下まで支持構造で連結されることもある。このことは他の各実施形態でも同様に適用できる。【００２５】  図７は、くの字形の支柱の一対と上ガードとを一体あるいは別体で形成した主フレーム１４９の一対を側面Ｘ字形になるように連結軸１５０で結合したものを本体とし座フレーム１５１上に一体あるいは座筒への差し混みにより立設固定してある。四隅に支柱を配した従来の方式に比べて開放的であるとともにフレーム自体の緩衝作用をねらったものである。主フレーム１４９の下端はピン結合でもよく、更に主フレーム１４９と座フレーム１５１との間、例えば、ピン回りやヒンジ片底面などに緩衝手段を装備してもよい。また、主フレーム１４９同士を結合する連結軸１５０にも緩衝手段を装備してもよい。同連結軸１５０に代えて図８や図９の仮想線のように主フレーム同士を連結してもよい。【００２６】  尚、図外に示すように主フレーム１４９の上端を伸縮自在型にしてもよい。また、主フレーム１４９の上部面内に網状部材（線状部材やパイプのみでもよい）１５２を張って先端に緩衝部材１５２を付してもよい。さらに、主フレーム１４９の上端間にも先網状部材（線状部材やパイプのみでもよい）１５３を第１段階の緩衝手段として配してもよい。座フレーム１５１は必須ではない。【００２７】  図８は、緩衝作用を高めた防災装置に関する実施形態であり、同実施形態は、コの字枠状の主フレーム１５５を一側面Ｘ字状に交差させるとともに交差部位を挟持盤１５６で締め付け固定し、座フレーム１５７上にヒンジ１５８で固定したものである。上ガードには図外のような平らな樹脂シートａと凹凸をもつ樹脂シートｂとを融着してなる緩衝シートを巻き付けたものを緩衝手段１５９としその外周に外装チューブ１６０を装備したものである。そして、上部のガードとして、上ガード双方間に図７のような網あるいは索状材による緩衝手段１６１を上下複数段階あるいは１段階に張設したものである。必要により補助ステー１６２を付すものとする。尚、挟持盤１５６にはゴムなどの緩衝手段を同時挟み込むことができる。挟持盤１５６自体をゴム等の緩衝質のもので形成してもよい。また、下部ヒンジ１５８の個所についての同様に緩衝手段を付すことができる。主フレーム１５５は板状でもよい。【００２８】  図９は、地震発生時や就寝時などの必要時にのみ防災装置を構成できその他の時は折り畳んで部屋の側隅にコンパクトに立て掛けておくことができるようにしたものである。主フレーム１６５は、コの字枠状あるいは口形枠状のものとし、これらの１対の側面Ｘ字状になるように連結軸１６６で開閉自在に結合させてなるとともに、一方の主フレーム１６５を座フレーム１６７にピン結合し、他方の主フレーム１６５はローラー１６８付きのものとし開いた際にローラー受１６９内にロックされるように構成する。ローラー受１６９はガイドレールであってもよい。主フレーム１６５は、耐震用として水道管（ガス管を含む）に使用される高密度ポリエチレンパイプや塩ビパイプ（ＰＶを含む）等の樹脂製品を利用することがある。このことは他の各実施形態でも同様に適用できる。折り畳んだ時は、バネ１７０に抗してロック手段１７１で固定し、ロック手段１７１を解除することでバネ１７０の反発作用で展開できるようにされている。そして、展開後には自動でロックはされるが、仮想練の中央ロック（自動ロック式でもよい）１７２により主フレーム１６５同士を更に結合するようにしてもよい。尚、上ガードには緩衝手段１７４が設けられているが、仮想線のように大径化してもよく、また、下部にも備えてもよい。また、破線は展開時に張られる網状あるいは索状などの防護手段１７５である。前記ロック手段１７１は揺れセンサーと駆動手段により地震の揺れを感じた時に自動で解除されるようにしてもよい。【００２９】  図９の伸縮可能な方式において、その伸縮する方向は、例えば、上下方向であることもある。この場合、床上に折り畳み上方に展開するものと、天井側に折り畳み下方に展開するものとがある。後者の場合、図の左側を天井側と仮定し、同天井側に折り畳むようにし、折り畳みと引き降ろし作業が軽快になされる手段が必要であるとともに引き降ろした際には展開状態が自動あるいは手動でロックされるようにする。図９の中央に仮想線で示すように、くの字形の側面をした主フレームを左右対称に組み合わせその間を筒状部を備えた継ぎ部材１７６で相互回転可能に結合することもできる。この場合、継ぎ部材１７６の筒部を中心にして主フレームは相対回転するので、折り畳み可能になる。図９及び他の実施形態において畳あるいはフローリング上に本装置を設置する場合、これら床材に通孔を明け、フレームに上端を結合したワイヤあるいはロープ（軸材でもよい）を通孔を通じて床下に導き、床下基盤に設けられたアンカーに結合して装置を安定化させるようにする。天井側に関しては、天井板を支える部材側に本装置を連結支持させる。上記のことは他の各実施形態でも同様に適用できる。【００３０】  図１０の実施形態は、装置の部材として量産品を利用したもので、主フレーム１７８の上部に歩道側位などに設置されるガードパイプＧを利用するとともに、ベッドＢを支持する枠体としてもこのガードパイプＧを利用したものである。これらのガードパイプＧはその接続相手に対し長さ調節可能にすることができる。ガードパイプ以外に枠状である量産品は全て利用可能である。例えば、仮設機材等である。【００３１】  図１１の実施形態は、底フレーム１８０の両端に、ローラーガイドを兼ねる主フレーム１８１，１８１を溝が対向するように立設し、これらの間に、矢印のように垂直な収納状態と水平な伸展状態とに切換可能な天枠１８２を設けたものである。天枠１８２は、四辺枠にブレースを張り網状材や索状材を張った軽量で強度の高いもので、その先端側には径の小さい先ローラー１８３を、後側には径の大きい後ローラー１８４を装備して、先ローラー１８３は、主フレーム１８１の上端の切欠１８５を通過でき、後ローラー１８４の方は切欠１８５で上ストッパ１８６に当たって止まるようになっている。また、主フレーム１８１の前側には天枠１８２を水平（それ以外の角度でもよい）で停止させるための枠受１８７が突設され、緩衝材１８８を備えてもよい。さらに、天枠１８２の中央には手掛け部１８９が設けられている。こうした装置によれば、地震などの揺れに伴ってあるいは就寝時に、天枠１８２を収納状態から水平に引き出し、上方を覆うようにセットする。この天枠１８２の上には、他の本格的緩衝手段を備えておいてもよい。尚、主フレーム１８１，１８１の上端間あるいは中途高さ間には横架材を付してもよく、また、一体のフレームにしてもよい。さらに、前記では手動式であったが、揺れ感知センサーにより自動的に覆うように連動するものにしてもよい。また、前記では一方に天枠１８２を備えたが、左右対称に配備してもよい。この場合、装置の１対を寄せ合わせるものと、本体を一体にするものとがある。【００３２】  図１２の実施形態は、本体１９１を吊り体１９２で吊持したものである。吊り体１９２は、側面コの字形の枠体としたものに外方に伸びる脚パイプ１９３…を付けて安定化を図るようにし、この吊り体１９２の４点に備えた吊り具１９４…により本体１９１を吊り下げるようにしてある。本体１９１は、どのような構造のものでもよいが、ここでは口形枠の主フレーム１９５の１対を側面Ｘ形になるように交差させて形成しベッドＢを載置してある。勿論敷布団や畳を載置して和式にしてもよい。本体１９１は引きバネ１９６…により下方に引かれて安定化されている。尚、上方には本格的な緩衝手段１９７を載置固定してもよく、また、脚パイプ１９３にも緩衝部材１９８を装備してもよい。１９９はサイドサポートである。吊り体１９２は床下あるいは天井側に固定してもよい。【００３３】  図１３の実施形態は、Ｘ字に一体形成したフレーム（あるいは交差点を軸結合してＸ字形にしたものでもよい）を基本として幅が同一で高さ寸法の異なる２種類のもの縦枠２０１と横粋２０２合計４枠を立体的に組み合わせて前後両側面及び上下両面を構成した装置に係るものである。同装置には、第１連結材２０３と第２連結材２０４を補助的に組み合わせてあり、上部緩衝部材２０５及び下部緩衝部材２０６を付すとともに上部にはワイヤや網等を付してもよい。尚、２０７は底板でベッドＢを支持するものである。【００３４】  図１４���実施形態は、敷布団（あるいはベッドＢ）２０９の３辺を立面部材２１０…により取り囲むようにしたもので、これら部材２１０…を敷布団２０９の一側に折り畳み待機可能にしたことを特徴とするものである。立面部材２０１は、実際の畳（化学畳等）でもよいし、この実施形態のように、内部を四辺枠体（仮設機材を含む）にしその外部を外装板で包み、その表面を畳様（あるいは白壁様や襖様）の外観模様にして仕上げた短寸・長寸２種類のものにしてもよいもので、これらを底フレーム２１２上に立設固定した縦フレーム２１１と連結手段２１３でコの字枠状に連結したものである。屏風のようにして敷布団２０９を取り囲んだ状態と対向する２面の立面部材２１０を折り畳んだ収納状態とに変えることができる。天面部材２１４を組み合わせてもよい。天面は、仮想線のようにＲ方向に転回する方式にしてもよい。立面部材２１０は仮設機材を利用してもよく、内部にはブレースを配してもよい。【００３５】  図１５の実施形態は、図１４が屏風式で縦軸回りに折り畳み自在であるのに対し、横軸回りに折り畳み自在にしたものである。２１７は底枠でアングル材などで組み立てられ、その上に敷板２１８が載置されている。底枠２１７の長手方向２辺にはヒンジ２１９…が固着され、同ヒンジ２１９…を介して立面部材２２０…を折り畳み自在に取り付けてある。そして、立面部材２２０を必要に応じて立設してのち、連結部材２２１でこれらを固定する。連結部材２２１は端部に嵌装枠２２２を備え、止着具２２３を嵌装枠２２２の孔から連結部材２２１内にねじ込むことで両立面部材２２０が立設固定される。連結部材２２１は仮想線のように２本等複数本でもよい。また、立面部材２２０は補強斜材２２４で補強支持したり、仮想線のように立面部材２２０を垂直以外の斜め姿勢に固定するようにしてもよい。尚、立面部材２２０を化学畳等で形成する場合には内部に補強芯材２２５を張り巡らせることができる。【００３６】  図１６（平面図）及び図１７（正面図）に示す実施形態は、仮設機材などを利用可能な折り畳み式防災装置についての一例である。２２７は平面コの字形をした底フレームで、少し多くするためパイプを使用して敷布団２２８より上面が高くなるようにしてある。底フレーム２２７の各隅部には、固定パイプ２２９が立設され、両パイプ２２９間に連結板２３０を一体化してある。この構造体に対し、パイプ２２９を中心に開閉枠２３１，２３１が脱着可能で観音開き式に取り付けられている。２３２は開閉枠２３１が開いた時のストッパ、２３３は緩衝手段である。【００３７】  図１６の実線のように開閉枠２３１は折り畳まれ、仮想線のように開かれて防護枠を構成できる。尚、仮想線のように斜材２３４で補強したり、開くにしたがって上方に広がるようなワイヤやロープ等の防護手段２３５を備えてもよい。また、図１６の仮想線のように開閉枠２３１が開かれた際にその上を通るような防護パイプ２３６を設けてもよい。さらに、図１７のように、装置上にはケース２３６を配し、その内部に緩衝手段２３７…を各種入れておくようにしてもよい。緩衝手段２３７…には座布団や枕等も含まれる。開閉枠は１枚でもよい。また、一方の開閉枠を固定式とし他方のみを開閉���にすることもできる。【００３８】  図１８及び図１９に示す実施形態は、ベッドＢあるいは敷布団２３９（その他のガード用に使用することは自由であり、勿論単なる避難空間として利用することも自由である（他の実施形態においても同様））上の就寝者を防護するための本体２４１は、底フレーム２４０上に４本支柱を立設したもので、前後面にコの字枠状の主フレーム２４２を備え、これらの間の一側にブレース２４３が掛け渡されて内装板（カーテンのようなものでもよい）２４４で覆われている。主フレーム２４２の上端間には、ワイヤやロープ、網状材、横架材などの継ぎ材２４５…が渡されている。【００３９】  この本体の構造については、他の実施形態で示すものその他の構造でもよい。同本体２４１の上方には天井面２４６があるが、同天井面２４６側には発泡スチロールを成形した緩衝手段２４７が上下間隔をおいて対面配置されている。同本体２４１の底面は、本体２４１の上部外形状に相当するものになっている。２４８は重りで、緩衝手段２４７と本体２４１との間に設けられた上下リンク２４９間に設けられ、この重り２４８は図１９の状態で左方向にはストッパで止められて緩衝手段２４７を下方から支えている。そして、図１９の矢印のような揺れにより緩衝手段２４７の支えを失って緩衝手段２４７は本体２４１上に急落下してくる。その結果、家屋部材がそこに倒壊してきてもこの緩衝手段２４７で有効に受け止められて本体２４１にまで至るおそれがない。従って、本体２４１は細いパイプでも済み、軽量化が図れる。例えば、仮設機材のような簡易枠でも充分耐えるようになる。尚、緩衝手段２４７には、これまでに述べた全ての構成を使用することができ、また後述する全ての構成をも使用可能である。【００４０】  図２０の実施形態は、本装置上に載置され固定されることもある緩衝手段の一単位を取り出して示す。２５１は緩衝手段の１つを構成する容器で、量産品である発泡スチロールで形成され、蓋２５２を一般に付属する。同蓋２５２は容器２５１に被せられて布テープ２５３で密封される。布テープの巻き方は図示に限定されない。接着剤や紐等で閉止してもよい。この容器２５１内には、空き缶２５４、半潰し空き缶２５５、全潰し空き缶２５６、空きペットボトル（一部収縮状態でもよい）２５７、ペットボトル切離片２５８、ペットボトル切断片２５９、砂２６０、飲料空パック２６１、炭２６２あるいは竹（炭も可）のようなものが１種類あるいは組み合わせて入れられる。充填状態であったりそうでなくともよい。容器なしで束ねて包み込んでもよい。【００４１】  図２１は付加的な例を示し、同例は、車道の側位に配されるガードレール２６４を正面からみて門形に組み合わせて取付具２６５により玄関前に配備したものである。これは玄関などが家屋の比較的弱い箇所に相当することからその増強を目的とするものである。尚、ガードレールに代えて仮設機材等を利用してもよい。【００４２】  図２２は、仮設機材を主に使用して防護装置を構成した実施形態を示す。２６６は底フレームで、木製であり、同底フレーム２６６は上からみてコの字枠状になっている。底フレーム２６６上には、単管ベース（（株）アクトワン  ヤマイチ製商品番号Ｂ（���下同社商品番号を付す）２６７…を適宜に配してある。２６８は主フレームで、同主フレーム２６８は、枠組足場の簡易建枠（商品番号Ａ−６１１７Ｓ）でなり、適宜に上端及び脚部をカットして図示のようなものに仕上げる。そしてブレース（商品番号Ａ−１４〜１６Ｃ）２６９を補強のために組み付ける。２７０は補助フレームで、枠組足場の簡易建枠（商品番号Ａ−６１１７Ｓ）を上端及び脚部を適宜にカットして低い枠体に仕上げて組み付けてある。主フレーム２６６と補助フレーム２７０の隣合う脚部は専用ベース２７１により固定する。専用ベース２７１は、２本の脚が入る程度の大きな筒部を備えたものにしたり、それぞれの脚を差し込む２本の筒体を座上に立設したものにする。２７３は天井防護材で、布板ＩＩ型（エキスパンドタイプ）、足場板、万能板あるいはガードレールのうち適宜のものを選んで渡架する。２７４は挟持板で、主フレーム２６８と補助フレーム２７０との間に止着具を使用して挟持固着される。２７５はジャッキベースで、商品番号ＦＵＪを使用し、床下にアンカーにより固定するとともに底フレーム２６６に結合してある。２７６は大引きジャッキで、商品番号Ａ−７５２Ｈを使用し、主フレーム２６８と天井側とを結合している。尚、主フレーム２６８と補助フレーム２７０とを別体で形成したが、これらを一体にしたような仮設機材もある。すなわち、建枠（拡幅枠）商品番号Ａ−６１１７やＡ−９１１７がそれである。この場合１つの機材で側部枠を構成できる。但し、同枠は仮設機材として使用する向きとは逆様にして本装置に使用する。また、前記実施形態でもそうであるが、仮設機材を使用する場合には、その内部には別のパイプやロッド、砂、木などを差し入れて補強を図ることができる。前記実施形態はベッドＢ用に限らず和式にも適用できる。【００４３】  前記実施形態は狭幅ベッドＢについて適用されるが、図２３のような広幅ベッドＢである場合には、同図のように、幅の広い商品番号Ａ−３０５５ＡまたはＡ−４０５５Ｂを主フレーム２８０とし、補助フレーム２８１として、商品番号Ａ−６１１７Ｓを脚切りして使用する。天井板２８２は布板等を使用する。ベッドＢの受け材２８３…は単管及びクランプを使用する。尚、図２２及び図２３において、介護用にリフター２８４を組み合わせるとともに、リハビリ用、介助用として図１〜４等の器具を装備することができる。【００４４】  図２４の実施形態は、仮設機材の前記のような枠材を適宜に組み合わせて本体２８６を形成し、布板等を利用して棚板２８７…を係合配置するとともに、ジャッキベースを利用した上固定具２８８で本体２８６を家屋内に固定化したものである。そして、ベッドＢ上の棚板２８７…間には、緩衝手段を構成する布団や容器等を収納設置する。容器はそのまま容器として機能する他緩衝手段になる。【００４５】  図２５及び図２６は、基礎４６５、束石コンクリート４６６、大引き４６７、根太４６８、床材４６９等を備えた家屋床構造を示し、その室内側にペット居住体Ｐを構成するに当たり、４本の剛体（アングル鋼材など）でなる長い支柱４７０…と、これらの支柱４７０…を固定する底盤４７１と、中段継ぎ材４７２…と、上段継ぎ材４７３…とで防護手段の���部骨格が構成されている。そして、床上の部分にはフェンス４７４…を４面に張り付けて扉４７５など必要に応じて装備する。中段継ぎ材４７２…や上段継ぎ材４７３…等には仕上げ材４７６…を貼り付けてある。４７７は扉で、これで内部に所望のものを収納する手段が提供される一方、その下段が一体のペット居住体Ｐとなる。尚、上部の収納手段は、図示に限定されず、例えば、ＴＶセットその他に利用できる。特に座布団や布団を入れるようにすれば緩衝作用がある。前記防護手段は、ペット居住体Ｐのみでなく構造体を構成するので、その下回りに避難すれば地震時に安全である。【００４６】  尚、この実施形態においては、更に地震対策が施され、床下迄前記構造が連結されている。すなわち、４７８は基礎盤、４７９は下部支柱で、下部支柱４７９は前記支柱４７０…に連結あるいは一体になっている。下部支柱４７９の３本は基礎盤４７８にアンカー４８０…で固定されている。下部支柱４７９の残るものは、基礎盤４７８に同様に固定してもよいが、ここではあえて基礎４６５に開けた通気窓口４８１に平面Ｌ形のアンカー材４８２を延ばして連結固定するようにしてある。【００４７】  尚、仮想線で示すように、上記実施形態でも述べたようにベッドＢ用の防護手段４８４のガードパイプ等と前記支柱４７０とを連結具４８５等により連結一体化することもある。逆に、本防護手段４８４を床下で支持固定し、前記防護手段の方をこれに連結固定することもある。双方を床下で固定してもよい。【００４８】  図２７の実施形態は、下側から１階・２階・３階…のように構築されたマンションやビルなどにおいて、防護フレーム５８９…を上下直線状に合致させたものである。この場合、防護フレーム５８９…には、相手である天井面に直接接当する関係になる連設防護フレーム５９０…を装備して全体が相互に関連し合って防護機能を高めるように工夫してある。【００４９】  図２８の実施形態は、防護フレーム本体５９２の天井上に第１エアーバッグ５９３…を装備して内部にエアーを内有するようにしてあり、このバッグ５９３…だけでなく、同バッグ５９３…が負荷を受けた際に内有するエアーを受け入れてそれまでの窄んだ状態から瞬間的に膨らむ第２のエアーバッグ５９４…を防護フレーム本体５９２内に装備するものである。第１のエアーバッグ５９３は、衝撃に耐えるものであり、内部には圧縮状態でエアーを入れておく場合の他、内部に膨らんだ形態を保つためのスポンジやプラスチック屑などの内有物を別途入れて保形化させるようにする場合とがある。第１と第２のエアーバッグ５９３，５９４は、支柱内を連通役としてもよい。第２のエアーバッグ５９４にはエアー抜きを設けてもよい。
【発明の効果】
【００５０】  この発明は以上のように、簡易な構成で有効に機能する防災装置を安価にして提供できるようになる。
【図面の簡単な説明】
【図１】  ベッド防護装置に関する実施形態を示す斜視図。
【図２】  スイングアーム介助バーを付属する場合の斜視図。
【図３】  介助バーを付属する場合の斜視図。
【図４】  移動用バーを付属する場合の斜視図。
【図５】  防護装置についての他の実施形態を示す斜視図。
【図６】  防護装置についての他の実施形態を示す側面図。
【図７】  防護装置についての他の実施形態を示す斜視図。
【図８】  防護装置についての他の実施形態を示す側面図。
【図９】  防護装置についての他の実施形態を示す側面図。
【図１０】  防護装置についての他の実施形態を示す斜視図。
【図１１】  防護装置についての他の実施形態を示す斜視図。
【図１２】  防護装置についての他の実施形態を示す斜視図。
【図１３】  防護装置についての他の実施形態を示す斜視図。
【図１４】  折り畳み式にした防護装置についての実施形態を示す斜視図。
【図１５】  折り畳み式にした防護装置についての他の実施形態を示す斜視図。
【図１６】  折り畳み式にした防護装置についての他の実施形態を示す平面図。
【図１７】  図１６の正面図。
【図１８】  防護装置についての他の実施形態を示す側面図。
【図１９】  図１８の例の正面図。
【図２０】  緩衝手段の１単位を示す斜視図。
【図２１】  玄関を増強する例を示す側面図。
【図２２】  防護装置についての他の実施形態を示す斜視図。
【図２３】  防護装置についての他の実施形態を示す斜視図。
【図２４】  上部に収納可能な緩衝手段を装備した防護装置を一例を示す正面図。
【図２５】  他の防護手段を示す図２６の横断面図。
【図２６】  図２５の縦断面図。
【図２７】  上下直列型の防護フレームについての実施形態を示す模式断面図。
【図２８】  エアーバッグ装備の実施形態を示す模式図。
【符号の説明】
２４２…本体  ２４２…主フレーム  ２４６…天井面  ２４７…緩衝手段  ２４８…重り。
【図１】
2007268282.tif 000003
【図２】
2007268282.tif 000004
【図３】
2007268282.tif 000005
【図４】
2007268282.tif 000006
【図５】
2007268282.tif 000007
【図６】
2007268282.tif 000008
【図７】
2007268282.tif 000009
【図８】
2007268282.tif 000010
【図９】
2007268282.tif 000011
【図１０】
2007268282.tif 000012
【図１１】
2007268282.tif 000013
【図１２】
2007268282.tif 000014
【図１３】
2007268282.tif 000015
【図１４】
2007268282.tif 000016
【図１５】
2007268282.tif 000017
【図１６】
2007268282.tif 000018
【図１７】
2007268282.tif 000019
【図１８】
2007268282.tif 000020
【図１９】
2007268282.tif 000021
【図２０】
2007268282.tif 000022
【図２１】
2007268282.tif 000023
【図２２】
2007268282.tif 000024
【図２３】
2007268282.tif 000025
【図２４】
2007268282.tif 000026
【図２５】
2007268282.tif 000027
【図２６】
2007268282.tif 000028
【図２７】
2007268282.tif 000029
【図２８】
2007268282.tif 000030